(57)【要約】      （修正有）【課題】操作レバーのセット位置への戻し忘れを防止する。【解決手段】用紙の一方の面を搬送ガイドする第１搬送ガイド板２６と、第１搬送ガイド板２６と対向して開閉可能に設置され、用紙の他方の面を搬送ガイドする第２搬送ガイド板４１と、第２搬送ガイド板４１に一体的に取り付けられ、第２搬送ガイド板４１を開閉操作する操作レバー５１と、装置筐体に開閉自在に取り付けられた扉２２と、扉２２の内面２２ａに突出形成され、第２搬送ガイド板４１の未セット時に扉２２が閉じられないように操作レバー５１の先端部位が衝突する未セット防止リブ２２ｂと、第２搬送ガイド板４１の未セット時に、操作レバー５１の先端部位を未セット防止リブ２２ｂに衝突させる位置に保持させる保持手段と、を備えた用紙搬送装置２０を提供する。【選択図】図９
2016204142.tif 000002
【特許請求の範囲】
【請求項１】
装置筐体内に設定した用紙搬送経路に沿って設置され、用紙の一方の面を搬送ガイドする第１搬送ガイド板と、
前記第１搬送ガイド板と対向して開閉可能に設置され、開かれた状態では未セット位置に位置し、一方、閉じられた状態では前記用紙搬送経路に沿うようにセット位置にセットされ、前記用紙の他方の面を搬送ガイドする第２搬送ガイド板と、
前記第２搬送ガイド板に一体的に取り付けられ、前記第２搬送ガイド板を開閉操作する操作レバーと、
前記装置筐体に開閉自在に取り付けられた扉と、
前記扉の内面に前記操作レバー側に向って突出形成され、前記第２搬送ガイド板の未セット時に前記扉が閉じられないように前記操作レバーの先端部位が衝突すると共に、前記第２搬送ガイド板のセット時には前記扉が閉じられるように構成された未セット防止リブと、
前記第２搬送ガイド板の未セット時に、前記操作レバーの先端部位を前記未セット防止リブに衝突させる位置に保持させる保持手段と、
を備えたことを特徴とする用紙搬送装置。
【請求項２】
前記保持手段は、前記操作レバーの近傍に設けられており、前記操作レバーの先端部位を前記未セット防止リブに衝突させる高さ位置に保持できる形状に形成されたネジリバネであることを特徴とする請求項１に記載の用紙搬送装置。
【発明の詳細な説明】
【技術分野】
【０００１】
本発明は、用紙を搬送する用紙搬送経路中でジャムが発生したときに、ユーザが装置筐体に開閉自在に取り付けた扉を開けて、装置筐体内に設けたジャム解除レバーを手動操作してジャム処理を行った後に、ジャム解除レバーがセット位置に戻されていなくても扉が閉じられてしまうのを未然に防止できるインターロック機構を備えた用紙搬送装置に関する。
【背景技術】
【０００２】
一般的に、用紙を搬送する用紙搬送装置は、用紙に画像や文字を印刷する印刷装置や、用紙に画像や文字を複写する複写機などの画像形成装置に適用されている。
【０００３】
この種の用紙搬送装置において、シート材（用紙）を搬送するシート材搬送経路中にシート材が滞留してジャムが発生したときに、ユーザがジャム解除レバーを操作してジャム処理が終了した後に、ジャム解除レバーの戻し忘れを防止できるシート材搬送装置及びこれを備える画像形成装置がある（例えば、特許文献１参照）。
【０００４】
特許文献１に開示されたシート材搬送装置では、ここでの図示を省略するが、シート材の搬送をガイドする一対のガイド板が互いに対向して設置されている。そして、一対のガイド板間に形成されたシート搬送経路の一方側に排紙ローラが設置されていると共に、シート搬送経路の他方側に板バネによって押圧付勢された排紙コロが排紙ローラに対して従動可能で且つ接離可能に設置されている。
【０００５】
また、排紙ローラよりも用紙搬送方向の上流側には、用紙の有無をレバーを介して検出するペーパーエッジセンサが設置されている。
【０００６】
また、排紙ローラよりも下流側には、板バネが支軸を中心にして変位可能に設置されており、この支軸に板バネに接離する突起を有する押圧解除カムと、この押圧解除カムを回転させるために一部欠歯したカムギアと、ジャム解除レバーとが固着されている。
【０００７】
更に、カムギアには、モータと連結した入力ギアが噛合している。
【０００８】
上記のように構成されたシート材搬送装置において、シート搬送経路中にジャムが生じたときに、ユーザはジャム解除レバーを手動操作して、押圧解除カムの突起で板バネによる排紙コロへの押圧付勢を解除して排紙コロを持ち上げて、排紙ローラと排紙コロとの間で滞留しているジャムシート材を除去している。
【０００９】
そして、シート材のジャム処理後、ユーザがジャム解除レバーを手動操作により定常状態の位置に戻すのが普通であるが、ユーザがジャム解除レバーを戻すのを忘れた場合であっても、カムギアと入力ギアとが噛合しているので、モータの駆動力により入力ギアとカムギアとを回転させる。そして、支軸に固着したカムギアの回転に伴って、支軸に固着した押圧解除カム及びジャム解除レバーを自動的に元に戻すことで、ジャム解除レバーは自動で定常状態に復帰できるので、ジャム解除レバーの戻し忘れによる被害を防止できる旨が記載されている。
【先行技術文献】
【特許文献】
【００１０】
【特許文献１】特開平１０−１８１９３９号公報
【発明の概要】
【発明が解決しようとする課題】
【００１１】
ところで、特許文献１に記載のシート材搬送装置では、前述したように、ジャム処理後、ジャム解除レバーを自動的に元の定常状態に戻すことができるが、このジャム解除レバーを自動的に元の定常状態に戻すために、モータ，入力ギア，カムギア，押圧解除カムなどの機構部品が必要となり、機構が複雑であり問題である。
【００１２】
また、ジャム発生時に押圧解除カムの突起により排紙コロを排紙ローラから離間させているが、押圧解除カムの突起の形状により排紙コロは一定の高さまでしか持ち上げられないためにシート材のジャム形状によっては完全に除去できない場合も懸念される。
【００１３】
更に、特許文献１に記載のシート材搬送装置において、ジャム解除レバーを自動的に元の定常状態に戻す機構を仮に削除した場合には、ジャム解除レバーはユーザによる手動操作のみとなるので機構を簡素化できるが、ジャム解除レバーを戻し忘れた場合には排紙ローラに排紙コロが押圧しないためにシート材搬送時に再びジャムが発生してしまうので、これを未然に防ぐ対策が必要となる。
【００１４】
そこで、本発明は、用紙（シート材）を搬送する用紙搬送経路中でジャムが発生したときに、ユーザが装置筐体に開閉自在に取り付けた扉を開けて、装置筐体内に設けたジャム解除レバーを操作してジャム処理を行う際に、ジャム解除レバーを手動操作のみにすることで機構を簡素化でき、且つ、用紙搬送ローラ対間のジャム用紙を確実に除去できる用紙搬送装置を提供することを目的とする。
【００１５】
また、ジャム解除レバーを手動操作してジャム処理を行った後に、ジャム解除レバーがセット位置に戻されていなくても扉が閉じられてしまうのを未然に防止できるインターロック機構を備えた用紙搬送装置を提供することを目的とする。
【課題を解決するための手段】
【００１６】
本発明は上記課題に鑑みてなされたものであり、第１の発明は、装置筐体内に設定した用紙搬送経路に沿って設置され、用紙の一方の面を搬送ガイドする第１搬送ガイド板と、
前記第１搬送ガイド板と対向して開閉可能に設置され、開かれた状態では未セット位置に位置し、一方、閉じられた状態では前記用紙搬送経路に沿うようにセット位置にセットされ、前記用紙の他方の面を搬送ガイドする第２搬送ガイド板と、
前記第２搬送ガイド板に一体的に取り付けられ、前記第２搬送ガイド板を開閉操作する操作レバーと、
前記装置筐体に開閉自在に取り付けられた扉と、
前記扉の内面に前記操作レバー側に向って突出形成され、前記第２搬送ガイド板の未セット時に前記扉が閉じられないように前記操作レバーの先端部位が衝突すると共に、前記第２搬送ガイド板のセット時には前記扉が閉じられるように構成された未セット防止リブと、
前記第２搬送ガイド板の未セット時に、前記操作レバーの先端部位を前記未セット防止リブに衝突させる位置に保持させる保持手段と、
を備えたことを特徴とする用紙搬送装置である。
【００１７】
また、第２の発明は、上記した第１の発明の用紙搬送装置において、
前記保持手段は、前記操作レバーの近傍に設けられており、前記操作レバーの先端部位を前記未セット防止リブに衝突させる高さ位置に保持できる形状に形成されたネジリバネであることを特徴とする用紙搬送装置である。
【発明の効果】
【００１８】
第１発明の用紙搬送装置によれば、第１搬送ガイド板と、第１搬送ガイド板と対向して開閉可能な第２搬送ガイド板と、第２搬送ガイド板に取り付けられてこの第２搬送ガイド板を開閉操作する操作レバーと、第２搬送ガイド板の未セット時に閉じられないように操作レバーの先端部位が衝突する未セット防止リブを内面に突出形成した扉と、第２搬送ガイド板の未セット時に、操作レバーの先端部位を未セット防止リブに衝突させる位置に保持させる保持手段とを備えている。
【００１９】
この結果、ユーザの不注意などでジャム解除レバーをセット位置に戻すのを忘れたときに、扉が閉じられるのを防止できるために、用紙搬送装置の信頼性を向上させることができると共に、ジャム解除レバーがセット位置に戻されていなくても扉が閉じられてしまうのを未然に防止できるインターロック機構を備えることになるので、用紙搬送装置を安全に操作することができる。更に、第１搬送ガイド板に対して第２搬送ガイド板をユーザの手動操作により大きな角度で開閉できるので、用紙搬送経路中で用紙のジャムが発生したときに、ユーザはジャム用紙を確実に取り除くことができる。
【００２０】
また、第２発明の用紙搬送装置によれば、保持手段は、操作レバーの近傍に設けられており、操作レバーの先端部位を未セット防止リブに衝突させる高さ位置に保持できる形状に形成されたネジリバネである。
【００２１】
この結果、保持手段を第２搬送ガイド板の回動支点から遠くなる位置に設置することが可能となるので、保持手段の保持力を小さく設定できる。また、保持手段は、ネジリバネだけで構成できるので部品点数を削減することができる。
【図面の簡単な説明】
【００２２】
【図１】本発明に係る用紙搬送装置を適用した画像形成システムの全体構成を示した構成図である。
【図２】本発明に係る用紙搬送装置の構成を示し、且つ、装置筐体に開閉自在に取り付けた扉が完全に閉じられており、装置筐体内に設けたジャム解除レバーが扉の内面に形成した未セット防止リブに衝突していないセット状態を示した縦断面図である。
【図３】本発明に係る用紙搬送装置の構成を示し、且つ、装置筐体に開閉自在に取り付けた扉が完全に閉じられており、装置筐体内に設けたジャム解除レバーが扉の内面に形成した未セット防止リブに衝突していないセット状態を示した斜視図である。
【図４】（ａ），（ｂ）は図２に示した駆動ローラ及び従動ローラを説明するために拡大して示した断面図である。
【図５】（ａ），（ｂ）は図２及び図３に示したジャム解除レバー組立体を分解して示した図である。
【図６】（ａ）〜（ｃ）は図５に示したジャム解除レバー組立体を組み立てた状態を示した図である。
【図７】（ａ），（ｂ）は図６に示したジャム解除レバー組立体の動作を説明するための図である。
【図８】本発明に係る用紙搬送装置において、扉が完全に閉じられてなく、ジャム解除レバーが扉の内面に形成した未セット防止リブに衝突している未セット状態を示した縦断面図である。
【図９】本発明に係る用紙搬送装置において、扉が完全に閉じられてなく、ジャム解除レバーが扉の内面に形成した未セット防止リブに衝突している未セット状態を示した斜視図である。
【発明を実施するための形態】
【００２３】
以下に本発明に係る用紙搬送装置を実施する形態につき、図１〜図９を参照して詳細に説明する。
【００２４】
本発明に係る用紙搬送装置を説明する前に、この用紙搬送装置を適用した画像形成システムについて、図１を用いて簡略に説明する。
【００２５】
（画像形成システム１）
図１は本発明に係る用紙搬送装置を適用した画像形成システムの全体構成を示している。
【００２６】
図１に示す如く、本発明に係る用紙搬送装置を適用した画像形成システム１では、用紙Ｐ上にインクジェット印刷方式や孔版印刷方式などにより画像を印刷する印刷装置１０と、この印刷装置１０内で印刷された印刷済みの用紙Ｐを下流に向けて搬送する本発明に係る用紙搬送装置２０と、用紙搬送装置２０から送られた印刷済みの用紙Ｐに対してパンチ（穴明け）処理や、ステープル閉め処理や、紙折り処理などの後処理を行うフィニッシャ装置６０とを備えて構成されている。
【００２７】
上記した本発明に係る用紙搬送装置２０は、装置筐体２１の前面側に扉２２がヒンジ２３を介して開閉自在に取り付けられており、この扉２２の内側に用紙Ｐを搬送するために形成された用紙搬送経路ＰＨが形成されている。そして、用紙搬送経路ＰＨ中で用紙Ｐのジャムが発生したときに、ユーザが扉２２を開けてジャム処理をできるように構成されている。
【００２８】
尚、この実施形態では、本発明に係る用紙搬送装置２０を印刷装置１０とフィニッシャ装置６０との間に設置しているが、これに限ることなく、用紙Ｐを搬送する用紙搬送経路が形成されているならばいかなる画像形成装置にも適用可能である。
【００２９】
（用紙搬送装置２０）
ここで、本発明に係る用紙搬送装置２０の構成について、図２〜図４を用いて詳述する。
【００３０】
図２，図３は本発明に係る用紙搬送装置の構成を示し、且つ、装置筐体内に設けたジャム解除レバーが扉の内面に形成した未セット防止リブに衝突していないセット状態を示している。また、図４は図２に示した駆動ローラ及び従動ローラを説明するために拡大して示しており、（ａ）は従動ローラを取り付けた上側搬送ガイド板のセット状態を示し、（ｂ）は上側搬送ガイド板の未セット状態を示している。
【００３１】
図２及び図３に示す如く、本発明に係る用紙搬送装置２０では、装置筐体２１の前面側に扉２２がヒンジ２３を介して開閉自在に取り付けられており、この扉２２の内面２２ａに後述するジャム解除レバー組立体５０内にジャム解除用として設けた操作レバー（以下、ジャム解除レバーと記す）５１の先端部位が接離する未セット防止リブ２２ｂがジャム解除レバー５１側に向って突出形成されている。
【００３２】
この際、扉２２の内面２２ａに突出形成した未セット防止リブ２２ｂは、後述するように、第２搬送ガイド板４１の未セット時に扉２２が閉じられないようにジャム解除レバー５１の先端部位が衝突すると共に、第２搬送ガイド板４１のセット時には扉２２が閉じられるように構成されている。
【００３３】
また、装置筐体２１内で扉２２の内側にこの扉２２から少し離れて前側板２４が垂設され、且つ、この前側板２４と対向して後側板２５が間隔を隔てて後方に垂設されている。
【００３４】
また、前側板２４と後側板２５との間には、図３に示すように用紙Ｐの一方の面（以下、下面と記す）Ｐａを搬送ガイドする第１搬送ガイド板（以下、下側搬送ガイド板と記す）２６が架け渡されている。
【００３５】
上記した下側搬送ガイド板２６は、板金材を用いて剛性を高めるために周囲を下方に向けて折り曲げられており、且つ、用紙Ｐの搬送方向に対して短尺な幅で形成されていると共に、用紙搬送方向と直交する用紙幅方向が用紙Ｐの幅寸法よりも長尺に形成されている。
【００３６】
そして、下側搬送ガイド板２６の長手方向の両端部を下方に折り曲げた折り曲げ片２６ａ，２６ｂが前後の側板２４，２５の各内面に取り付けられている。
【００３７】
また、下側搬送ガイド板２６の下面側には、ゴム材を用いた駆動ローラ２７を間隔を離して円筒状に２箇所巻き付けた長尺な駆動軸２８が下側搬送ガイド板２６と平行に用紙搬送方向に沿って前側板２４と後側板２５とに取り付けた一対の軸受け２９を介して回転自在に軸支されている。
【００３８】
そして、長尺な駆動軸２８は、後側板２５の外側に設置したモータ３０の回転を伝達するプーリやベルトなどを用いた回転伝達機構部３１に連結されているので、モータ３０の回転により駆動軸２８と一体に駆動ローラ２７が回転駆動されるようになっている。
【００３９】
この際、駆動ローラは、図４（ａ），（ｂ）に拡大して示す如く、下側搬送ガイド板２６に形成した逃げ孔２６ｃを下方から臨んでいる。
【００４０】
図２及び図３に戻り、下側搬送ガイド板２６の上面の上方には、この下側搬送ガイド板２６と対向して、用紙Ｐの他方の面（以下、上面と記す）Ｐｂを搬送ガイドする第２搬送ガイド板（以下、上側搬送ガイド板と記す）４１が、ユーザの手動操作によって下側搬送ガイド板２６に対して上下方向に開閉可能（回動可能）に設けられている。
【００４１】
この上側搬送ガイド板４１は、後述するように、開かれた状態では未セット位置に位置し、一方、閉じられた状態では用紙搬送経路ＰＨに沿うようにセット位置にセットされるようになっている。
【００４２】
上記した上側搬送ガイド板４１は、板金材を用いて剛性を高めるために周囲を上方に向けて折り曲げられており、且つ、用紙Ｐの搬送方向に対して短尺な幅で形成されていると共に、用紙搬送方向と直交する用紙幅方向が用紙Ｐの幅寸法よりも長尺に形成されている。
【００４３】
そして、上側搬送ガイド板４１の長手方向のうちで前側板２４側を上方に向って折り曲げた前端部４１ａの外側部位には、ジャム解除レバー組立体５０内に設けたジャム解除レバー（操作レバー）５１が扉２２側に向って取り付けられている。
【００４４】
この際、ジャム解除レバー５１の先端部位は、前側板２４を通り抜けて扉２２側に突出できるように前側板２４に不図示の開口部が形成されている。
【００４５】
また、上側搬送ガイド板４１の長手方向のうちで後側板２５側を上方に向って折り曲げた後端部４１ｂの外側部位が、後側板２５に取り付けた一対のブラケット３２にシャフト３３を介して回動可能に取り付けられている。
【００４６】
この際、後述するように、ジャム解除レバー組立体５０内のジャム解除レバー５１に取り付けた磁石５２が、前側板２４の外面に取り付けた着磁用ブラケット３４に着磁したときに、上側搬送ガイド板４１は閉じられた状態で用紙搬送経路ＰＨに沿うように下側搬送ガイド板２６に対して用紙Ｐの搬送が可能な所定の間隔Ｋを隔てて略平行な姿勢を保ってセット位置に固定されている。
【００４７】
更に、扉２２が閉じられて、上側搬送ガイド板４１が着磁されたセット位置に固定されているときに、ジャム解除レバー組立体５０内に設けたジャム解除レバー５１の先端部位は扉２２の内面２２ａに突出形成した未セット防止リブ２２ｂに衝突することなく、この未セット防止リブ２２ｂの下方に退避している。
【００４８】
また、上側搬送ガイド板４１の上面上には、下側搬送ガイド板２６に取り付けた２箇所の駆動ローラ２７に従動する従動ローラ４２が用紙幅方向に沿って２箇所設けられている。
【００４９】
そして、ゴム材を用いた従動ローラ４２を円筒状に巻き付けた短尺な従動軸４３が一対の軸受け４４（図４のみ図示）を介して上側搬送ガイド板４１上で間隔を離して互いに対向して対称に取り付けた一対のＬ字状ブラケット４５，４６に軸支されている。
【００５０】
そして、２箇所の従動ローラ４２は、上側搬送ガイド板４１上に箱状に組み立てられた箱体４７に覆われている。
【００５１】
この際、従動ローラ４２は、図４（ａ），（ｂ）に拡大して示す如く、上側搬送ガイド板４１に形成した逃げ孔４１ｃを上方から臨んでいる。
【００５２】
また、従動ローラ４２を巻き付けた従動軸４３の両端部側に嵌め込んだ一対の軸受け４４が、一対のＬ字状ブラケット４５，４６に重力方向に向って垂直に形成した長孔４５ａ，４６ａ内を遊嵌している。
【００５３】
更に、従動ローラ４２を覆った箱体４７の天板４７ａの裏面と、従動軸４３の両端部側に嵌め込んだ一対の軸受け４４との間に一対の圧縮バネ４８が取り付けられている。
【００５４】
そして、図４（ａ）に示すように、上側搬送ガイド板４１が下側搬送ガイド板２６に対して略平行な姿勢で着磁されたセット状態では、上下の搬送ガイド板４１，２６間が用紙Ｐを搬送できる所定の間隔Ｋに保たれている。
【００５５】
また、上側搬送ガイド板４１上では、従動軸４３の両端部側が一対のＬ字状ブラケット４５，４６に垂直に形成した長孔４５ａ，４６ａ内の中間部位に位置している。
【００５６】
このときに、一対の圧縮バネ４８の付勢力によって従動ローラ４２は用紙Ｐを挟んで駆動ローラ２７を押圧しているので、駆動ローラ２７と従動ローラ４２とで用紙Ｐを挟持搬送することができる。
【００５７】
一方、後述するように、装置筐体２１内に設けたジャム解除レバー５１（図２，図３）を手動操作してジャム処理を行った後に、ジャム解除レバー５１がセット位置に戻されてなく、上側搬送ガイド板４１に取り付けたジャム解除レバー５１が着磁されていない場合には、上側搬送ガイド板４１が開かれた状態で未セット位置に位置している未セット状態である。
【００５８】
この未セット状態では、図４（ｂ）に示すように、従動ローラ４２の重力と一対の圧縮バネ４８の付勢力とによって、従動軸４３の両端部側が一対のＬ字状ブラケット４５，４６に垂直に形成した長孔４５ａ，４６ａ内の下端側に移動する。
【００５９】
このとき、従動ローラ４２が駆動ローラ２７に当接して、上側搬送ガイド板４１がシャフト３３（図２）を中心に下側搬送ガイド板２６に対して上方に持ち上げられるが、上側搬送ガイド板４１が持ち上げられる量αは図４（ａ）に示したセット時の所定の間隔Ｋよりも僅かに増加されるだけである。
【００６０】
従って、ユーザがジャム解除レバー５１をセット位置に戻すのを忘れると、上側搬送ガイド板４１に取り付けたジャム解除レバー５１が着磁されずに、上側搬送ガイド板４１が持ち上げられる量αが少量であるために、この未セット状態でユーザが装置筐体２１に設けた扉２２を閉じることができてしまう場合があり、これにより次の用紙Ｐの搬送時にジャムが発生する。
【００６１】
そこで、本発明では、用紙Ｐを搬送する用紙搬送経路ＰＨ（図１）中でジャムが発生したときに、ユーザが装置筐体２１に開閉自在に取り付けた扉２２を開けて、装置筐体２１内に設けたジャム解除レバー５１を手動操作してジャム処理を行った後に、ジャム解除レバー５１がセット位置に戻されていなくても扉２２が閉じられてしまうのを防止できるインターロック機構を備えたジャム解除レバー組立体５０を上側搬送ガイド板４１の前端部４１ａの外側部位に一体的に取り付けている。
【００６２】
ここで、本発明の要部となるジャム解除レバー組立体５０について、図５〜図７を用いて説明する。
【００６３】
図５は図２及び図３に示したジャム解除レバー組立体を分解して斜視的に示しており、（ａ）は上方から見た状態を示し、（ｂ）は下方から見た状態を示している。また、図６は図５に示したジャム解除レバー組立体を組み立てた状態を示しており、（ａ）は上方から見た状態を斜視的に示し、（ｂ）は下方から見た状態を斜視的に示し、（ｃ）は側面から見た状態を示している。更に、図７は図６に示したジャム解除レバー組立体の動作を示しており、（ａ）は上側搬送ガイド板に取り付けたジャム解除レバーがセット状態のときを示し、（ｂ）はジャム解除レバーが未セット状態のときを示している。
【００６４】
図５（ａ），（ｂ）に示す如く、本発明の要部となるジャム解除レバー組立体５０は、用紙Ｐの搬送に邪魔しない位置で、上側搬送ガイド板４１の前端部４１ａの外側部位に一体的に取り付けられている。
【００６５】
上記したジャム解除レバー組立体５０内に設けたジャム解除レバー（操作レバー）５１は、板金材を用いてＬ字状に折り曲げ形成されており、上側搬送ガイド板４１の前端部４１ａの外側部位に取り付けられる垂直板部５１ａと、この垂直板部５１ａの下端に連接して扉２２（図２，図３）側に向って水平に延出された水平板部５１ｂと、水平板部５１ｂの先端部位に樹脂材を用いて取り付けられてユーザが把持する取っ手部５１ｃとで形成されている。
【００６６】
また、ジャム解除レバー５１の水平板部５１ｂ上には、この水平板部５１ｂよりも一段凹んだ凹状絞り板部５１ｂ１が水平板部５１ｂの長手方向に沿って形成されて、この凹状絞り板部５１ｂ１内に後述する磁石５２のカバー部５２ｂが進入する矩形孔５１ｂ２が貫通して形成されている。
【００６７】
更に、ジャム解除レバー５１の垂直板部５１ａの近傍で水平板部５１ｂには、後述するネジリバネ５４の一端部５４ｂが進入する長孔５１ｂ３が貫通して形成されている。
【００６８】
上記した磁石５２は、前側板２４（図２，図３）の外面に取り付けた着磁用ブラケット３４（図２，図３）に対して接離自在に着磁する着磁部５２ａと、着磁部５２ａの上方で内部を覆うカバー部５２ｂと、カバー部５２ｂの互い対向する面から弾性変位可能に延出された一対の止め部５２ｃとで形成されている。
【００６９】
そして、磁石５２は、ジャム解除レバー５１の凹状絞り板部５１ｂ１の下面側からカバー部５２ｂを凹状絞り板部５１ｂ１に形成した矩形孔５１ｂ２内に進入させて、一対の止め部５２ｃにより固定した状態で取り付けられている。
【００７０】
また、ジャム解除レバー５１の水平板部５１ｂの下面には、ネジリバネ５４を支持するためのバネ支持用ブラケット５３が取り付けられている。
【００７１】
上記したバネ支持用ブラケット５３は、板金材を用いて折り曲げ形成されており、ジャム解除レバー５１の水平板部５１ｂの下面に取り付けられる水平板部５３ａと、水平板部５３ａの奥側の端部に連接して垂下された第１垂直板部５３ｂと、水平板部５３ａの後端に連接し且つ第１垂直板部５３ｂと直交して垂下された第２垂直板部５３ｃとで形成されている。
【００７２】
上記したネジリバネ５４は、コイル部５４ａがバネ支持用ブラケット５３の第１垂直板部５３ｂに段付きネジ５５を用いて取り付けられている。また、ネジリバネ５４は、コイル部５４ａの一端から所定の高さＨを有して反転コ字状に曲げ形成した一端部５４ｂがバネ支持用ブラケット５３の第２垂直板部５３ｃに貫通して形成した縦孔５３ｃ１を通り抜けた後にジャム解除レバー５１の水平板部５１ｂの下面から長孔５１ｂ３内に進入して水平板部５１ｂ上に延出されていると共に、コイル部５４ａの他端から反転Ｌ字状に曲げ形成した他端部５４ｃがバネ支持用ブラケット５３の第２垂直板部５３ｃの内側下方に掛止されている。
【００７３】
また、ネジリバネ５４は、上側搬送ガイド板４１に取り付けたジャム解除レバー５１の先端部位を扉２２の内面２２ａに突出形成した未セット防止リブ２２ｂに衝突できる所定の高さＨの位置までに持ち上げて、この所定の高さＨの位置を保持する保持手段として機能している。これにより、保持手段は、ネジリバネ５４だけで構成できるので部品点数を削減することができる。
【００７４】
この際、ネジリバネ５４を上側搬送ガイド板４１の回動支点となるシャフト３３から遠いジャム解除レバー５１の近傍に設置することで、ネジリバネ５４の付勢力（保持手段の保持力）を小さく設定できる。
【００７５】
そして、ジャム解除レバー５１に、磁石５２と、バネ支持用ブラケット５３と、ネジリバネ５４とを組み立てると、図６（ａ）〜（ｃ）に示す如くのジャム解除レバー組立体５０が得られる。
【００７６】
上記のように構成したジャム解除レバー組立体５０において、図７（ａ）は、扉２２が閉じられて上側搬送ガイド板４１が下側搬送ガイド板２６に対して所定の間隔Ｋを隔てて略平行な姿勢を保って着磁されているセット状態を示しており、このセット状態時に先に図４（ａ）を用いて説明したように駆動ローラ２７と従動ローラ４２とにより用紙Ｐの搬送が可能になっている。
【００７７】
即ち、ジャム解除レバー５１がセット状態のときには、ジャム解除レバー５１に取り付けた磁石５２の着磁部５２ａが前側板２４の外面に取り付けた着磁用ブラケット３４に当接しているので、ジャム解除レバー５１が着磁された状態で固定されている。
【００７８】
このときに、ジャム解除レバー５１の水平板部５１ｂの先端部位に取り付けた取っ手部５１ｃは、扉２２の内面２２ａに突出形成した未セット防止リブ２２ｂに衝突することなく、この未セット防止リブ２２ｂの下方に退避している。
【００７９】
また、ジャム解除レバー５１の水平板部５１ｂの下面にバネ支持用ブラケット５３が取り付けられており、このバネ支持用ブラケット５３の第１垂直板部５３ｂにネジリバネ５４のコイル部５４ａが段付きネジ５５を介して取り付けられている。
【００８０】
そして、ジャム解除レバー５１のセット状態時に、ネジリバネ５４のコイル部５４ａの他端から反転Ｌ字状に曲げ形成した他端部５４ｃは、バネ支持用ブラケット５３の第２垂直板部５３ｃの内側下方に掛止されている。一方、ネジリバネ５４のコイル部５４ａの一端から反転コ字状に曲げ形成した一端部５４ｂは、バネ支持用ブラケット５３の第２垂直板部５３ｃに形成した縦孔５３ｃ１を通り抜けて、前側板２４に形成した不図示の開口部の端に接しながらジャム解除レバー５１の水平板部５１ｂに形成した長孔５１ｂ３を通って、ジャム解除レバー５１の水平板部５１ｂの上面の上方に突出してこの上面に対して上方に向ってへ字状の姿勢を取っている。
【００８１】
これにより、ジャム解除レバー５１のセット状態時には、ネジリバネ５４の一端部５４ｂの付勢力はジャム解除レバー５１に対して作用していないので、ジャム解除レバー５１をセット位置に着磁できる。
【００８２】
一方、図７（ｂ）は、扉２２が開けられており、後述するようにジャム処理が終了して、ユーザがジャム解除レバー５１をセット位置に戻すのを忘れて、上側搬送ガイド板４１に取り付けたジャム解除レバー５１が着磁されていない未セット状態を示している。
【００８３】
即ち、上側搬送ガイド板４１に一体的に取り付けたジャム解除レバー５１は、ネジリバネ５４のコイル部５４ａの一端から所定の高さＨを有して反転コ字状に曲げ形成した一端部５４ｂが、バネ支持用ブラケット５３の第２垂直板部５３ｃに形成した縦孔５３ｃ１及びジャム解除レバー５１の水平板部５１ｂに形成した長孔５１ｂ３を通って、ジャム解除レバー５１の水平板部５１ｂの上面に掛止されている。
【００８４】
このとき、ネジリバネ５４の一端部５４ｂの付勢力は、段付きネジ５５を中心にして反時計方向（矢印方向）に作用しているので、このネジリバネ５４の反力によりジャム解除レバー５１の水平板部５１ｂが着磁用ブラケット３４から離れて所定の高さＨまで強制的に持ち上げられる。
【００８５】
上記に伴って、ジャム解除レバー５１の水平板部５１ｂの先端部位に取り付けた取っ手部５１ｃが、開いている扉２２の内面２２ａに突出形成した未セット防止リブ２２ｂに衝突するので、扉２２を閉めることができない。
【００８６】
従って、後述するように、ジャム処理後にユーザがジャム解除レバー５１をセット位置に戻すのを忘れたときに、扉２２が閉じられるのを防止できる。
【００８７】
次に、本発明に係る用紙搬送装置２０内の用紙搬送経路ＰＨ（図１）中で用紙Ｐのジャムが発生した場合の動作について、図１〜図４と、図７と、新たな図８及び図９とを併用して説明する。
【００８８】
図８及び図９は本発明に係る用紙搬送装置において、扉が完全に閉じられてなく、ジャム解除レバーが扉の内面に形成した未セット防止リブに衝突している未セット状態を示している。
【００８９】
まず、本発明に係る用紙搬送装置２０内の用紙搬送経路ＰＨ中で用紙Ｐの搬送が所定時間以上滞留したことを不図示の制御部で検出したときに、この制御部を介して用紙Ｐのジャムが発生したことを不図示の操作パネルにアラーム表示する。
【００９０】
ここで、ユーザは扉２２を完全に開いて、ジャム解除レバー組立体５０内に設けたジャム解除レバー５１の先端部位に取り付けた取っ手部５１ｃを把持しながら、ジャム解除レバー５１を取り付けた上側搬送ガイド板４１をシャフト３３を中心にして上方に持ち上げるように手動操作する。
【００９１】
これにより、ジャム解除レバー５１に取り付けた磁石５２が、前側板２４の外面に取り付けた着磁用ブラケット３４から離間するために、上下の搬送ガイド板４１，２６間の間隔が用紙幅方向の右側に設けた扉２２に向って斜め上方に徐々に広がるので不図示のジャム用紙を確実に取り除くことができる。
【００９２】
そして、ジャム用紙を取り除いた後に、ユーザは通常、ジャム解除レバー５１をセット位置まで戻して着磁するが、ユーザの不注意などでジャム解除レバー５１を着磁しない未セットの場合が生じる。
【００９３】
即ち、先に図４（ｂ）を用いて説明したように、ユーザがジャム用紙を取り除いた後にジャム解除レバー５１をセット位置に戻すのを忘れて、上側搬送ガイド板４１が下側搬送ガイド板２６に対してセット位置よりも僅かに上方に持ち上げれた場合には扉２２を閉じることができてしまう。
【００９４】
そこで、本発明では、図８及び図９に示す如く、上側搬送ガイド板４１と一体的にジャム解除レバー組立体５０を取り付けて、このジャム解除レバー組立体５０内に設けたジャム解除レバー５１が着磁されていないことをユーザが確実に目視で検知できるように対策を施している。
【００９５】
即ち、ジャム解除レバー５１の未セット時に、このジャム解除レバー５１にバネ支持用ブラケット５３を介して取り付けたネジリバネ５４によってジャム解除レバー５１を、図４（ｂ）で説明した持ち上げ量α＋所定の間隔Ｋよりも大きな値である所定の高さＨだけ前側板２４の外面に取り付けた着磁用ブラケット３４に対して上方に強制的に持ち上げている。
【００９６】
この際、ジャム解除レバー５１の未セット時の動作については先に図７（ｂ）を用いて説明済みであるので、ここでの詳述を省略する。
【００９７】
そして、ジャム解除レバー５１がネジリバネ５４によって所定の高さＨだけ強制的に持ち上げられると、ジャム解除レバー５１の先端部位に取り付けた取っ手部５１ｃが、開いている扉２２の内面２２ａに突出形成した未セット防止リブ２２ｂに衝突するので、扉２２を閉めることがでない。
【００９８】
これにより、ユーザの不注意などでジャム解除レバー５１をセット位置に戻すのを忘れたときに、扉２２が閉じられるのを防止できるために、用紙搬送装置２０の信頼性を向上させることができると共に、ジャム解除レバー５１がセット位置に戻されていなくても扉２２が閉じられてしまうのを未然に防止できるインターロック機構を備えることになるので、用紙搬送装置２０を安全に操作することができる。更に、第１搬送ガイド板２６に対して第２搬送ガイド板４１をユーザの手動操作により大きな角度で開閉できるので、用紙搬送経路ＰＨ中で用紙Ｐのジャムが発生したときに、ユーザはジャム用紙を確実に取り除くことができる。
【００９９】
以上詳述した本発明の実施形態の用紙搬送装置２０では、駆動ローラ２７を取り付けた下側搬送ガイド板２６を固定設置し、従動ローラ４２を取り付けた上側搬送ガイド板４１を下側搬送ガイド板２６の上方に回動可能に設置した場合について説明したが、上記とは逆に搬送ガイド板の上下を逆転させた他例を本出願人は先に特開２０１３−２２０８９４号公報にて提案している。この他例の場合に対しても本発明の技術的思想を適用することが可能であるので、以下簡略に説明する。
【０１００】
上記した特開２０１３−２２０８９４号公報に開示された他例の用紙搬送装置では、ここでの図示を省略するが、駆動ローラを取り付けた上側の用紙搬送ガイド板を固定設置し、従動ローラを取り付けた下側の用紙搬送ガイド板を上側の用紙搬送ガイド板の下方に回動可能に設置している。
【０１０１】
更に、下側の用紙ガイド板と、装置筐体内に設けたリンク支持部及びバネ支持部との間に、４節リンク機構と引張バネとを組み込んでいる。
【０１０２】
そして、４節リンク機構と引張バネは、下側の用紙ガイド板にかかる重力に対して重力方向とは反対方向にアシストしており、即ち、下側の用紙ガイド板が重力によって開く方向とは逆向きの補助力が加わるように作用している。
【０１０３】
この特開２０１３−２２０８９４号公報に開示された他例の用紙搬送装置の場合には、以下の対策を施すことで、下側の用紙ガイド板が未セット状態である時の戻し忘れを防止できる。
【０１０４】
即ち、装置筐体に開閉自在に取り付けた扉の内面に未セット防止リブを一体的に突出形成する。また、下側の用紙ガイド板にジャム解除レバーを一体的に取り付けると共に、下側の用紙ガイド板が上側の用紙ガイド板と略平行となるセット時に下側の用紙ガイド板に取り付けたジャム解除レバーを磁力によりセット状態を保つようにする。更に、下側の用紙ガイド板が未セット状態のときには、下側の用紙ガイド板に取り付けたジャム解除レバーの先端部位が扉の内面に突出形成した未セット防止リブに衝突できるように保持する４節リンク機構と引張バネとを予め調整しておく。
【０１０５】
これにより、下側の用紙ガイド板に取り付けたジャム解除レバーの未セット時の戻し忘れを防止できる。
【符号の説明】
【０１０６】
１…画像形成システム、１０…印刷装置、２０…用紙搬送装置、
２１…装置筐体、２２…扉、２２ａ…内面、２２ｂ…未セット防止リブ、２３…ヒンジ、
２４…前側板、２５…後側板、２６…第１搬送ガイド板（下側搬送ガイド板）、
２７…駆動ローラ、２８…駆動軸、２９…軸受け、
３０…モータ、３１…回転伝達機構部、３２…ブラケット、３３…シャフト、
３４…着磁用ブラケット、
４１…第２搬送ガイド板（上側搬送ガイド板）、４１ａ…前端部、４１ｂ…後端部、
４２…従動ローラ、４３…従動軸、４４…軸受け、
４５…Ｌ字状ブラケット、４５ａ…長孔、４６…Ｌ字状ブラケット、４６ａ…長孔、
４７…箱体、４７ａ…天板、４８…圧縮バネ、
５０…ジャム解除レバー組立体、
５１…操作レバー（ジャム解除レバー）、５１ａ…垂直板部、５１ｂ…水平板部、
５１ｂ１…凹状絞り板部、５１ｂ２…矩形孔、５１ｂ３…長孔、５１ｃ…取っ手部、
５２…磁石、５２ａ…着磁部、５２ｂ…カバー部、５２ｃ…止め部、
５３…バネ支持用ブラケット、５３ａ…水平板部、５３ｂ…第１垂直板部、
５３ｃ…第２垂直板部、５３ｃ１…縦孔、
５４…ネジリバネ、５４ａ…コイル部、５４ｂ…一端部、５４ｃ…他端部、
５５…段付きネジ、６０…フィニッシャ装置、
Ｐ…用紙、Ｐａ…第１面（下面）、Ｐｂ…第２面（上面）、ＰＨ…用紙搬送経路。
【図１】
2016204142.tif 000003
【図２】
2016204142.tif 000004
【図３】
2016204142.tif 000005
【図４】
2016204142.tif 000006
【図５】
2016204142.tif 000007
【図６】
2016204142.tif 000008
【図７】
2016204142.tif 000009
【図８】
2016204142.tif 000010
【図９】
2016204142.tif 000011